(57)【特許請求の範囲】
【請求項１】
弁体が弁座に対して着座又は離間することによって入口ポートに対して連通又は連通遮断される流路が形成されたボディと、
軸受に摺動可能に挿通されるとともに、その先端に前記弁体が設けられて前記弁体と一体的に変位する弁軸と、
前記弁体を弾発付勢するコイルスプリングと、
を備え、
前記軸受の内壁に収容凹部が形成され、
前記収容凹部に、前記弁軸に対して摺動抵抗を付与する摺動抵抗付与部材が収容され、
前記コイルスプリングは、前記摺動抵抗付与部材から離間した位置で前記軸受に当接し、
前記弁軸が変位するとき、該弁軸が前記摺動抵抗付与部材に摺接することを特徴とする弁装置。
【請求項２】
請求項１記載の弁装置において、前記コイルスプリングは、前記弁軸を囲繞するとともに前記軸受及び前記弁体に当接し、前記弁体を前記弁座に指向して弾発付勢することを特徴とする弁装置。
【請求項３】
弁体が弁座に対して着座又は離間することによって入口ポートに対して連通又は連通遮断される流路が形成されたボディと、
軸受に摺動可能に挿通されるとともに、その先端に前記弁体が設けられて前記弁体と一体的に変位する弁軸と、
前記軸受の、前記弁体に臨む側に配置されて前記弁軸が挿通された中空部材と、
前記弁体を弾発付勢するコイルスプリングと、
を備え、
前記中空部材の内壁に収容凹部が形成され、
前記収容凹部に、前記弁軸に対して摺動抵抗を付与する摺動抵抗付与部材が収容され、
前記コイルスプリングは、前記摺動抵抗付与部材から離間した位置で前記中空部材に当接し、
前記弁軸が変位するとき、該弁軸が前記摺動抵抗付与部材に摺接することを特徴とする弁装置。
【請求項４】
請求項３記載の弁装置において、前記コイルスプリングは、前記弁軸を囲繞するとともに前記中空部材及び前記弁体に当接し、前記弁体を前記弁座に指向して弾発付勢することを特徴とする弁装置。
【請求項５】
請求項１〜４のいずれか１項に記載の弁装置において、前記摺動抵抗付与部材は、直径方向に沿って延在する切欠が形成されたリング形状体からなることを特徴とする弁装置。
【発明の詳細な説明】
【技術分野】
【０００１】
本発明は、軸受に摺動可能に挿通された弁軸と、前記弁軸の先端に設けられて前記弁軸と一体的に変位する弁体とを有し、前記弁体が弁座に対して着座又は離間する弁装置に関する。
【背景技術】
【０００２】
燃料電池システムには、燃料電池に供給される反応ガスが流通する供給路と、水素貯蔵容器から燃料電池から排出された反応ガスが流通する排出路とが設けられる。このような構成において、供給路及び排出路には遮断弁が設けられることが一般的である。この種の遮断弁として、例えば、特許文献１に記載された逆止弁が知られている。
【０００３】
逆止弁の弁体は、コイルスプリングによって弁座側に弾発付勢されており、このために通常時は閉弁状態である。そして、逆止弁の弁体に加わる流体圧力の差圧による推力がコイルスプリングの弾発付勢力を上回って押したとき、コイルスプリングが圧縮されるとともに弁体が弁座から離間し、開弁状態となる。従って、ボディ内に形成された流路を流体が流通するに至る。
【０００４】
その一方で、上記流体圧力の差圧による推力がコイルスプリングの弾発付勢力を下回るようになると、コイルスプリングが伸張するとともに、弁体が該コイルスプリングから弾発付勢されて弁座に着座する。その結果、閉弁状態が形成されて流体の流通が遮断される。
【先行技術文献】
【特許文献】
【０００５】
【特許文献１】特許第５１６１１８６号公報
【発明の概要】
【発明が解決しようとする課題】
【０００６】
本発明は、特許文献１記載の技術に関連してなされたもので、弁体が設けられた弁軸の微細な振動（いわゆるチャタリング）を抑制し得る弁装置を提供することを目的とする。
【課題を解決するための手段】
【０００７】
前記の目的を達成するために、本発明に係る弁装置は、弁体が弁座に対して着座又は離間することによって入口ポートに対して連通又は連通遮断される流路が形成されたボディと、
軸受に摺動可能に挿通されるとともに、その先端に前記弁体が設けられて前記弁体と一体的に変位する弁軸と、
を備え、
前記軸受の内壁に収容凹部が形成され、
前記収容凹部に、前記弁軸に対して摺動抵抗を付与する摺動抵抗付与部材が収容され、
前記弁軸が変位するとき、該弁軸が前記摺動抵抗付与部材に摺接することを特徴とする。
【０００８】
すなわち、この構成では、摺動抵抗付与部材を軸受内に収容している。このため、摺動抵抗付与部材に何らかの外力が作用することが回避される。これにより、弁軸と摺動抵抗付与部材との間に作用する力を、摺動抵抗付与部材から弁軸に伝達される摺動抵抗力（摩擦力）程度とすることが可能である。従って、摺動抵抗付与部材が振動することが抑制されるので、該摺動抵抗付与部材に摺接する弁軸が振動することも抑制される。その結果、チャタリングが発生することが抑制される。
【０００９】
弁装置は、摺動抵抗付与部材から離間した位置で軸受に当接するコイルスプリングを有するものとして構成される。該コイルスプリングは、例えば、弁軸を囲繞するとともに軸受及び弁体に当接し、弁体を前記弁座に指向して弾発付勢する。この場合、弁装置は、流体圧力に応じて自動的に開閉する。すなわち、弁体及び弁軸は、コイルスプリングの弾発付勢力と、流体圧力の差圧による推力とのいずれが大きいかに応じて開弁方向又は閉弁方向のいずれかに変位する。
【００１０】
この場合、コイルスプリングとして、その内径が、前記摺動抵抗付与部材を囲繞することが可能な寸法のものを採用することが好ましい。例えば、摺動抵抗付与部材が円環形状体であるときには、コイルスプリングの内径を、摺動抵抗付与部材の外径に比して大きく設定するとよい。
【００１１】
この構成では、コイルスプリングが摺動抵抗付与部材の上方に配設されることを回避することができる。従って、コイルスプリングの弾発付勢力が摺動抵抗付与部材に伝達されること、換言すれば、摺動抵抗付与部材にコイルスプリングの弾発付勢力が作用することで、摺動抵抗が低下してしまう状態を回避することができる。このため、チャタリングが発生することを一層有効に防止することができる。
【００１２】
なお、軸受とは別途に中空部材を設け、この中空部材内に摺動抵抗付与部材を収容するようにしてもよい。すなわち、本発明に係る別の弁装置は、弁体が弁座に対して着座又は離間することによって入口ポートに対して連通又は連通遮断される流路が形成されたボディと、
軸受に摺動可能に挿通されるとともに、その先端に前記弁体が設けられて前記弁体と一体的に変位する弁軸と、
前記軸受の、前記弁体に臨む側に配置されて前記弁軸が挿通された中空部材と、
を備え、
前記中空部材の内壁に収容凹部が形成され、
前記収容凹部に、前記弁軸に対して摺動抵抗を付与する摺動抵抗付与部材が収容され、
前記弁軸が変位するとき、該弁軸が前記摺動抵抗付与部材に摺接することを特徴とする。
【００１３】
この構成においても、摺動抵抗付与部材に何らかの外力が作用することが回避される。摺動抵抗付与部材を中空部材内に収容しているからである。このため、上記と同様の理由から摺動抵抗付与部材が振動することが抑制され、その結果として、該摺動抵抗付与部材に摺接する弁軸が振動すること、すなわち、チャタリングが発生することを抑制することができる。
【００１４】
上記に準拠し、弁装置は、摺動抵抗付与部材から離間した位置で中空部材に当接するコイルスプリングを有するものとして構成される。コイルスプリングは、例えば、弁軸を囲繞するとともに中空部材及び弁体に当接し、弁体を前記弁座に指向して弾発付勢する。この場合、コイルスプリングとして幅狭のものを採用しても摺動抵抗付与部材に外力が作用し難い。摺動抵抗付与部材を中空部材内に収容しているので、コイルスプリングの弾発付勢力が摺動抵抗付与部材に直接作用することが回避されるからである。従って、弁装置の幅方向の小型化を図ることができる。
【００１５】
ただし、上記と同様の理由から、コイルスプリングとして、その内径が、前記摺動抵抗付与部材を囲繞することが可能な寸法のものを採用し、コイルスプリングが摺動抵抗付与部材の上方に配設されることを回避することが好ましい。
【００１６】
いずれにおいても、摺動抵抗付与部材としては、直径方向に沿って延在する切欠が形成されたリング形状体からなるものが好適である。この場合、直径方向内方に向かって撓ませ、この状態で収容凹部に挿入することが容易であり、しかも、挿入後に押圧力を解放することにより、弾性作用によって元の形状に戻すことができる。このため、摺動抵抗付与部材を収容凹部に収容する作業が円滑に進行する。加えて、元の形状に戻った後の摺動抵抗付与部材は、収容凹部から離脱し難い。このため、摺動抵抗付与部材を軸受又は中空部材に保持することが容易である。
【発明の効果】
【００１７】
本発明によれば、摺動抵抗付与部材を軸受又は中空部材内に収容するようにしている。このため、摺動抵抗付与部材に何らかの外力が作用して摺動抵抗が低下してしまう状態を回避し得、弁軸と摺動抵抗付与部材との間に作用する力を、摺動抵抗付与部材から弁軸に伝達される摺動抵抗力（摩擦力）程度とすることが可能となる。
【００１８】
この状態では、摺動抵抗付与部材が振動することが抑制される。従って、該摺動抵抗付与部材に摺接する弁軸が振動することが抑制されるので、チャタリングが発生することを抑制することができる。
【図面の簡単な説明】
【００１９】
【図１】図１Ａ及び図１Ｂは、本発明の第１実施形態に係る弁装置が閉弁状態であるとき、開弁状態であるときの要部概略縦断面図である。
【図２】前記弁装置を構成する摺動抵抗付与部材としてのＣ字型リングの概略全体斜視図である。
【図３】図３Ａ及び図３Ｂは、本発明の第２実施形態に係る弁装置が閉弁状態であるとき、開弁状態であるときの要部概略縦断面図である。
【図４】別の摺動抵抗付与部材としての連結リングの概略全体斜視図である。
【発明を実施するための形態】
【００２０】
以下、本発明に係る弁装置につき好適な実施の形態を挙げ、添付の図面を参照して詳細に説明する。なお、以下の説明において「下」、「上」というときには、それぞれ、図１及び図３における下方、上方を指すものとする。ただし、これは、図面を参照した説明の理解を容易にするための便宜的な呼称であり、弁装置を実使用する際の方向を特定したものではない。
【００２１】
図１Ａ及び図１Ｂは、それぞれ、第１実施形態に係る弁装置１０が閉弁状態であるとき、開弁状態であるときの要部概略縦断面図である。この弁装置１０は、常時閉弁である。
【００２２】
弁装置１０を構成するボディ１２は、略円筒形状をなす中空体である。すなわち、ボディ１２の中空内部に流路１４が画成されるとともに、その上端部に、流路１４に連通する入口ポート１６が形成される。また、ボディ１２の天井壁には、入口ポート１６の近傍に弁座１８が設けられる。
【００２３】
また、ボディ１２の中空内部には軸受２０が配設される。軸受２０には挿通孔２２が形成されるとともに、該挿通孔２２の上方開口近傍に、挿通孔２２の内壁を直径方向外方に切り欠いたような形状の環状収容凹部２４（収容凹部）が形成されている。このため、環状収容凹部２４の内径は挿通孔２２に比して大きく、従って、環状収容凹部２４の底壁は環状段部２５となっている。
【００２４】
環状収容凹部２４には、図２に示すＣ字型リング２６が収容されている。Ｃ字型リング２６の貫通孔２８の内径は、軸受２０の挿通孔２２の内径と略同等である。また、該Ｃ字型リング２６の外径及び高さは、環状収容凹部２４の外径及び高さと略同等である。すなわち、Ｃ字型リング２６は、全体が環状収容凹部２４に収容されている。
【００２５】
Ｃ字型リング２６は、円環形状体に対し、直径方向に沿って延在する切欠３０を形成した形状をなす。また、Ｃ字型リング２６は、貫通孔２８が形成された等径部３２と、下底面及び上底面の各々に形成された大径な第１フランジ部３４及び第２フランジ部３６とを有する。このため、等径部３２の側壁は、第１フランジ部３４及び第２フランジ部３６の側壁に対して直径方向内方に陥没した形状となっている。
【００２６】
Ｃ字型リング２６の貫通孔２８の内径は、軸受２０の挿通孔２２の内径と略同等である。これら挿通孔２２及び貫通孔２８には、略円柱体形状の弁軸３８が挿通される。弁軸３８が変位するとき、該弁軸３８の側壁は、挿通孔２２及び貫通孔２８の各内壁に摺接する。後述するように、弁軸３８には、Ｃ字型リング２６によって摺動抵抗が付与される。すなわち、Ｃ字型リング２６は、摺動抵抗付与部材として機能する。
【００２７】
弁軸３８の上端部には、該弁軸３８よりも大径な弁体４０が設けられる。弁体４０は、例えば、弁軸３８と別部材として形成され、図示しない連結ネジ等を介して弁軸３８に連結される。この弁体４０が弁座１８に対して着座又は離間することにより、入口ポート１６と流路１４が連通遮断又は連通される。
【００２８】
弁軸３８において、Ｃ字型リング２６の貫通孔２８から露呈した上端部は、コイルスプリング４２に通されている。換言すれば、弁軸３８の上端部はコイルスプリング４２に囲繞されている。該コイルスプリング４２の下端は軸受２０の上端面に当接し、一方、上端は弁体４０の下端面に当接している。このため、弁体４０は、コイルスプリング４２によって弁座１８側に弾発付勢される。
【００２９】
第１実施形態では、コイルスプリング４２として、その内径がＣ字型リング２６の外径よりも大きいものが選定される。このため、コイルスプリング４２は軸受２０の上端面に当接するのみであり、Ｃ字型リング２６の第２フランジ部３６の上端面には当接していない。
【００３０】
第１実施形態に係る弁装置１０は、基本的には以上のように構成されるものであり、次にその作用効果について説明する。
【００３１】
上記の構成において、環状収容凹部２４は、軸受２０の挿通孔２２と同軸上に形成される。このため、加工によって軸受２０内に環状収容凹部２４を形成するとき、挿通孔２２と、環状収容凹部２４との中心同士が精度よく位置合わせされる。従って、挿通孔２２と、Ｃ字型リング２６の貫通孔２８との中心同士を精度よく位置合わせすることができる。
【００３２】
環状収容凹部２４にＣ字型リング２６を収容するときには、はじめに、Ｃ字型リング２６を直径方向内方に押圧する。Ｃ字型リング２６は、切欠３０（図２参照）が形成されているために可撓性に富む。すなわち、Ｃ字型リング２６は、直径方向内方に向かって弾性変形域内で容易に撓む。
【００３３】
この状態で、Ｃ字型リング２６を環状収容凹部２４に収容し、第１フランジ部３４の下端面を環状段部２５に当接させる。Ｃ字型リング２６が変形しているので、この収容を行うことは容易である。
【００３４】
その後、Ｃ字型リング２６を押圧力から解放する。この解放に伴ってＣ字型リング２６が弾性作用によって押圧前の形状に戻り、その結果、第１フランジ部３４及び第２フランジ部３６の各側壁が環状収容凹部２４の内壁に当接する。好ましくは、第１フランジ部３４及び第２フランジ部３６の各側壁は、環状収容凹部２４の内壁を所定の力で押圧する。これにより、Ｃ字型リング２６が環状収容凹部２４から離脱することが困難となり、軸受２０に堅牢に保持される。
【００３５】
このように、摺動抵抗付与部材としてＣ字型リング２６を用いることにより、該Ｃ字型リング２６を軸受２０に組み込むことが容易となる。さらには、部品点数を増加することなく、簡素な構成でＣ字型リング２６を軸受２０に保持することができるという利点もある。
【００３６】
入口ポート１６に進入した流体（例えば、水素）圧力の差圧による推力がコイルスプリング４２の弾発付勢力を下回るとき、弁体４０は、コイルスプリング４２から弾発付勢されることで弁座１８側に押圧される。このため、弁体４０は、弁座１８に対して着座した状態を維持する。従って、入口ポート１６と流路１４の連通が遮断された状態が維持されるので、弁装置１０が閉弁状態を保つ。
【００３７】
一方、入口ポート１６に進入した流体圧力の差圧による推力がコイルスプリング７６の弾発付勢力を上回って押したとき、弁体４０がコイルスプリング４２の弾発付勢力に抗して下方に変位する。すなわち、弁座１８から弁体４０が離間し、入口ポート１６と流路１４が連通する。その結果、弁装置１０が開弁状態となり、ボディ１２内の流路１４に流体が流通する。
【００３８】
この際、弁軸３８が弁体４０と一体的に変位する。この変位の際、該弁軸３８の側壁がＣ字型リング２６の貫通孔２８の内壁に摺接することにより、弁軸３８に対して所定の摺動抵抗が付与される。
【００３９】
ここで、Ｃ字型リング２６は、上記したように環状収容凹部２４に収容されることで軸受２０に囲繞されている。しかも、コイルスプリング４２の下端が第２フランジ部３６の上端面から離間している。従って、Ｃ字型リング２６に何らかの外力が作用することが回避される。その結果、Ｃ字型リング２６の貫通孔２８の内壁に、弁軸３８に対する摩擦力が生じるのみである。このような理由から、弁軸３８が振動すること、換言すれば、チャタリングが発生することを有効に抑制することができる。
【００４０】
また、軸受２０の挿通孔２２と、Ｃ字型リング２６の貫通孔２８との中心同士が精度よく位置合わせされているので、弁軸３８が傾斜することが抑制される。このことも、チャタリングの発生防止に寄与する。
【００４１】
入口ポート１６に進入した流体圧力の差圧による推力がコイルスプリング４２の弾発付勢力を下回るようになると、弁体４０がコイルスプリング４２から弁座１８側に弾発付勢され、弁座１８に着座する。すなわち、入口ポート１６と流路１４の連通が遮断され、弁装置１０が閉弁状態となる。
【００４２】
この際にも、弁軸３８が弁体４０と一体的に変位する。勿論、この変位の際にも、上記と同様にＣ字型リング２６によって弁軸３８に所定の摺動抵抗が付与されるとともに、弁軸３８にチャタリングが発生することが抑制される。
【００４３】
次に、図３Ａ及び図３Ｂを参照し、第２実施形態に係る弁装置５０につき説明する。なお、図１Ａ、図１Ｂ及び図２に示される構成要素と同一の構成要素には同一の参照符号を付し、その詳細な説明を省略する。
【００４４】
図３Ａ及び図３Ｂは、それぞれ、第２実施形態に係る弁装置５０が閉弁状態であるとき、開弁状態であるときの要部概略縦断面図である。この弁装置５０は、弁装置１０と同様に常時閉弁である。
【００４５】
この弁装置５０は、ボディ１２、軸受２０、弁軸３８及び弁体４０の他、軸受２０の弁体４０側端面（上端面）に配設された中空部材５２を有する。この中空部材５２は、貫挿孔５４が形成された略円筒形状の中空体である。該貫挿孔５４の下方開口近傍には、貫挿孔５４の内壁を直径方向外方に切り欠いた形状の環状収容凹部５６（収容凹部）が形成されている。すなわち、環状収容凹部５６の内径は貫挿孔５４に比して大きく、このために環状収容凹部５６の天井壁は環状段部５８となっている。
【００４６】
環状収容凹部５６には、図２に示すＣ字型リング２６が収容されている。この場合、貫挿孔５４の内径は、Ｃ字型リング２６の貫通孔２８の内径、及び軸受２０の挿通孔２２の内径と略同等である。また、環状収容凹部５６の外径及び高さは、Ｃ字型リング２６の外径及び高さと略同等である。すなわち、Ｃ字型リング２６は、全体が環状収容凹部５６に収容されている。
【００４７】
弁軸３８において、中空部材５２の貫挿孔５４から露呈した上端部は、コイルスプリング６０に囲繞されている。該コイルスプリング６０の下端は中空部材５２の上端面に当接し、一方、上端は弁体４０の下端面に当接している。このため、弁体４０がコイルスプリング６０によって弁座１８側に弾発付勢されるとともに、中空部材５２が軸受２０に指向して弾発付勢される。中空部材５２は、この弾発付勢によって軸受２０の上端面に位置決めされている。
【００４８】
第２実施形態では、コイルスプリング６０として、その内径が中空部材５２の外径よりも若干小さいものが選定される。このため、コイルスプリング６０が中空部材５２を囲繞することはない。なお、Ｃ字型リング２６が中空部材５２の内部に収容されていることから、コイルスプリング６０がＣ字型リング２６に当接することもない。コイルスプリング６０は、その内径がＣ字型リング２６の外径よりも大きいものであることがさらに好ましい。
【００４９】
第２実施形態に係る弁装置５０は、基本的には以上のように構成されるものであり、次にその作用効果について説明する。
【００５０】
この場合、環状収容凹部５６は、中空部材５２の貫挿孔５４と同軸上に形成される。このため、加工によって中空部材５２に環状収容凹部２４を形成するとき、貫挿孔５４と、環状収容凹部２４との中心同士が精度よく位置合わせされる。従って、貫挿孔５４と、Ｃ字型リング２６の貫通孔２８との中心同士を精度よく位置合わせすることができる。
【００５１】
Ｃ字型リング２６を環状収容凹部５６に収容するときには、第１実施形態に準拠した作業を行えばよい。すなわち、Ｃ字型リング２６を、直径方向内方に向かって弾性変形域内で撓ませ、この状態で環状収容凹部２４に収容し、第２フランジ部３６の上端面を環状段部５８に当接させる。その後、Ｃ字型リング２６を押圧力から解放すれば、Ｃ字型リング２６がその弾性作用によって押圧前の形状に戻る。
【００５２】
以上のように、第２実施形態においても、Ｃ字型リング２６を中空部材５２に容易に組み込むことができる。勿論、部品点数を増加することなく、簡素な構成でＣ字型リング２６を中空部材５２に保持することも可能である。
【００５３】
第２実施形態では、Ｃ字型リング２６を中空部材５２内に収容しているので、Ｃ字型リング２６とコイルスプリング６０の間に中空部材５２が介在する。従って、中空部材５２がコイルスプリング６０の弾発付勢力を受けるので、該弾発付勢力がＣ字型リング２６に直接作用することがない。すなわち、Ｃ字型リング２６が中空部材５２で保護されるので、該Ｃ字型リング２６に外力が作用し難い。このため、コイルスプリング６０として幅狭のものを採用することができる。この分、弁装置５０の幅方向の小型化を図ることができる。
【００５４】
入口ポート１６に進入した流体圧力の差圧による推力がコイルスプリング６０の弾発付勢力を下回るとき、弁装置５０は閉弁状態を保つ。これに対し、入口ポート１６に進入した流体圧力の差圧による推力がコイルスプリング６０の弾発付勢力を上回るようになると、弁体４０がコイルスプリング６０の弾発付勢力に抗して下方に変位する。その結果、弁座１８から弁体４０が離間し、入口ポート１６と流路１４が連通して弁装置５０が開弁状態となるとともに、ボディ１２内の流路１４に流体が流通する。
【００５５】
このようにして弁体４０が変位する際、該弁体４０と一体的に弁軸３８が変位する。このとき、弁軸３８の側壁がＣ字型リング２６の貫通孔２８の内壁に摺接することにより、弁軸３８に対して所定の摺動抵抗が付与される。
【００５６】
Ｃ字型リング２６は、上記したように環状収容凹部５６に収容されることで中空部材５２に囲繞されている。このため、コイルスプリング６０がＣ字型リング２６に直接当接することはない。しかも、コイルスプリング６０の内径がＣ字型リング２６の外径よりも大きいと、コイルスプリング６０の弾発付勢力がＣ字型リング２６に伝達され難い。
【００５７】
以上のような理由から、Ｃ字型リング２６に何らかの外力が作用することが回避される。このため、第１実施形態と同様に、Ｃ字型リング２６の貫通孔２８の内壁において、弁軸３８に対する摩擦力が生じるのみである。このため、弁軸３８が振動すること、換言すれば、チャタリングが発生することを有効に抑制することができる。
【００５８】
また、中空部材５２の貫挿孔５４と、Ｃ字型リング２６の貫通孔２８との中心同士が精度よく位置合わせされているので、弁軸３８が傾斜することが抑制される。このことも、チャタリングの発生防止に寄与する。
【００５９】
入口ポート１６に進入した流体圧力の差圧による推力がコイルスプリング６０の弾発付勢力を下回るようになると、弁体４０がコイルスプリング６０から弁座１８側に弾発付勢され、弁座１８に着座する。すなわち、入口ポート１６と流路１４の連通が遮断され、弁装置５０が閉弁状態となる。
【００６０】
この際にも弁軸３８が弁体４０と一体的に変位することに伴い、Ｃ字型リング２６によって弁軸３８に所定の摺動抵抗が付与される。とともに、勿論、このときにも、弁軸３８にチャタリングが発生することが抑制される。
【００６１】
本発明は、上記した第１実施形態及び第２実施形態に特に限定されるものではなく、本発明の主旨を逸脱しない範囲で種々の変更が可能である。
【００６２】
例えば、摺動抵抗付与部材として、図４に示す連結リング７０を採用することもできる。この場合、連結リングを構成する半円形状ピース７２、７４の各々に係合部７６ａ、７６ｂ、７８ａ、７８ｂを設けるようにすれば、半円形状ピース７２、７４の各々を収容凹部に収容した後、係合部７６ａ、７８ａ同士、係合部７６ｂ、７８ｂ同士を係合することによって、連結リング７０を容易に構成することができる。
【００６３】
摺動抵抗付与部材は、その外側壁、又は収容凹部の内壁に塗布した接着剤を介して収容凹部に保持するようにしてもよい。又は、軸受や中空部材の端部を加締めることで摺動抵抗付与部材の収容凹部からの抜け止めとするようにしてもよい。
【００６４】
さらに、例えば、摺動抵抗付与部材の内壁に溝を形成し、該溝内にバネ部材を収容するようにしてもよい。この構成では、バネ部材が、摺動抵抗付与部材を収容凹部の内壁側に指向して弾発付勢する。この弾発付勢に伴い、摺動抵抗付与部材が収容凹部内に保持される。
【００６５】
摺動抵抗付与部材と収容凹部との間にクリアランスが形成されるようなときには、スペーサを挿入するようにしてもよい。例えば、第２実施形態においては、軸受２０の上端面とＣ字型リング２６の第１フランジ部３４の下端面との間にバネ部材を介在すればよい。バネ部材が伸縮することにより、クリアランスの広狭に対応することができる。
【００６６】
また、第１実施形態及び第２実施形態では、流体圧力の大小に応じて自動的に開閉する弁装置１０、５０を例示しているが、電磁弁等であってもよい。
【符号の説明】
【００６７】
１０、５０…弁装置                        １２…ボディ
１４…流路                                １６…入口ポート
１８…弁座                                ２０…軸受
２２…挿通孔                              ２４、５６…環状収容凹部
２６…Ｃ字型リング                        ２８…貫通孔
３０…切欠                                ３８…弁軸
４０…弁体                                ４２、６０…コイルスプリング
５２…中空部材                            ５４…貫挿孔
７０…連結リング                          ７２、７４…半円形状ピース
７６ａ、７６ｂ、７８ａ、７８ｂ…係合部
【図１】
0006522389.tif 000002
【図２】
0006522389.tif 000003
【図３】
0006522389.tif 000004
【図４】
0006522389.tif 000005